(57)【要約】【課題】簡単な機構でもって、黒板とタッチスクリーンを上下反対方向に移動させる。タッチスクリーンよりも重い黒板を、タッチスクリーンよりも大きく上下に移動させる。【解決手段】黒板装置は、黒板２の背面に黒板２よりも軽いタッチスクリーン３を配設しており、上下機構４で互いに反対方向に上下に移動させる。上下機構４は、一端を黒板２に連結し、他端に第１の重り８Ａを連結している第１の紐状体５Ａを第１の滑車６Ａにかけると共に、一端をタッチスクリーン３に連結し、他端に第２の重り８Ｂを連結している第２の紐状体５Ｂを第２の滑車６Ｂにかけており、さらに、第１の滑車６Ａに連結している第１の歯車７Ａと、第２の滑車６Ｂに連結している第２の歯車７Ｂとを噛み合わせている。第１の歯車７Ａの外径（Ｒ１）と第２の滑車６Ｂの外径（ｒ２）の積は、第２の歯車７Ｂの外径（Ｒ２）と第１の滑車６Ａの外径（ｒ１）の積よりも小さくしている。【選択図】図１３
2008119967.tif 000002
【特許請求の範囲】
【請求項１】
垂直姿勢に保持されて上下に移動できるように本体(1)に連結している黒板(2)と、この黒板(2)の背面に配設されて、垂直姿勢に保持されて上下に移動できるように本体(1)に連結している黒板(2)よりも軽いタッチスクリーン(3)と、このタッチスクリーン(3)と黒板(2)を互いに反対方向に上下に移動させると共に、黒板(2)を軽いタッチスクリーン(3)よりも上下に大きく移動させる上下機構(4)とを備え、
上下機構(4)が、黒板(2)に一端を連結している第１の紐状体(5A)と、この第１の紐状体(5A)をかけている第１の滑車(6A)と、この第１の滑車(6A)に連結している第１の歯車(7A)と、この第１の歯車(7A)とかみ合う第２の歯車(7B)と、この第２の歯車(7B)に連結している第２の滑車(6B)と、この第２の滑車(6B)にかけられて一端をタッチスクリーン(3)に連結している第２の紐状体(5B)と、第１の紐状体(5A)の一端に連結されて黒板(2)を引き上げ方向に牽引する第１の重り(8A)と、第２の紐状体(5B)の一端に連結されてタッチスクリーン(3)を引き上げ方向に牽引する第２の重り(8B)とを備え、
第１の歯車(7A)の外径（Ｒ１）と第２の滑車(6B)の外径（ｒ２）の積を、第２の歯車(7B)の外径（Ｒ２）と第１の滑車(6A)の外径（ｒ１）の積よりも小さくしており、
黒板(2)が上下に移動されると、黒板(2)が第１の紐状体(5A)を介して第１の滑車(6A)を回転し、回転する第１の滑車(6A)が第１の歯車(7A)を介して第２の歯車(7B)を反対方向に回転し、第２の歯車(7B)が第２の滑車(6B)と第２の紐状体(5B)を介してタッチスクリーン(3)を黒板(2)と反対方向に移動するようにしてなる黒板装置。
【請求項２】
垂直姿勢に保持されて上下に移動できるように本体(1)に連結している黒板(2)と、この黒板(2)の背面に配設されて、垂直姿勢に保持されて上下に移動できるように本体(1)に連結している黒板(2)よりも軽いタッチスクリーン(3)と、このタッチスクリーン(3)と黒板(2)を互いに反対方向に上下に移動させると共に、黒板(2)を軽いタッチスクリーン(3)よりも上下に大きく移動させる上下機構(4)とを備え、
上下機構(4)が、黒板(2)に一端を連結している第１の紐状体(5A)と、この第１の紐状体(5A)をかけている第１の滑車(6A)と、この第１の滑車(6A)に連結している第２の滑車(6B)と、この第２の滑車(6B)にかけられて一端をタッチスクリーン(3)に連結している第２の紐状体(5B)と、第１の紐状体(5A)の一端に連結されて黒板(2)を引き上げ方向に牽引する第１の重り(8A)と、第２の紐状体(5B)の一端に連結されてタッチスクリーン(3)を引き上げ方向に牽引する第２の重り(8B)とを備え、
さらに、上下機構(4)は、第２の滑車(6B)の外径（ｒ２）を第１の滑車(6A)の外径（ｒ１）よりも小さくすると共に、黒板(2)とタッチスクリーン(3)が互いに上下反対方向に移動するように、紐状体(5)を滑車(6)にかけており、
黒板(2)が上下に移動されると、黒板(2)が第１の紐状体(5A)を介して第１の滑車(6A)を回転し、回転する第１の滑車(6A)が第２の滑車(6B)を回転し、回転する第２の滑車(6B)が第２の紐状体(5B)を介してタッチスクリーン(3)を黒板(2)と反対方向に移動するようにしてなる黒板装置。
【請求項３】
第１の紐状体(5A)が第１の滑車(6A)にスリップできるように連結されてなる請求項１または２に記載される黒板装置。
【請求項４】
第２の紐状体(5B)が第２の滑車(6B)にスリップできるように連結されてなる請求項１または２に記載される黒板装置。
【請求項５】
第１の重り(8A)が黒板(2)の重量に等しく、第２の重り(8B)がタッチスクリーン(3)の重量に等しい請求項１または２に記載される黒板装置。
【請求項６】
歯車(7)の外周面に、中央部に沿って円周溝(10)を設けて、円周溝(10)の外周を滑車(6)の外周として、歯車(7)と滑車(6)を一体構造としている請求項１に記載される黒板装置。
【請求項７】
第１の滑車(6A)が第１の歯車(7A)の側面に固定され、第２の滑車(6B)が第２の歯車(7B)の側面に固定されてなる請求項１に記載される黒板装置。
【発明の詳細な説明】
【技術分野】
【０００１】
本発明は、スクリーンを設けている黒板装置に関する。
【背景技術】
【０００２】
黒板にスクリーンを設けている黒板装置は開発されている（特許文献１参照）。この公報に記載される黒板装置を図１に示す。この黒板装置は、黒板８１の上部に巻上スクリーン８２と地図掛８３を設置している。巻上スクリーン８２を使用する場合、あるいは地図掛８３を使用する場合は、黒板上下移動装置（図示せず）を下げることによって、巻上スクリーン８２を降ろすことも、地図を地図掛８３のＳカン８４に掛けることも、フック棒を用いることなく人間の手によって行うことが出来る。その後、黒板上下移動装置により、黒板８１を上へあげれば映写の画面も地図もよく見える。
【０００３】
以上の黒板装置は、スクリーンと黒板の両方を便利に使用できない。それは、スクリーンを引き下げて使用するときには、スクリーンが黒板の表面の特定の部分をカバーして見えなくするからである。黒板とスクリーンは一緒に使用して便利に使用できる。たとえば、黒板に記述する事項の具体例や、詳しい説明等をスクリーンに投影して説明することがあるからである。
【０００４】
この欠点を解消するために、スクリーンを主黒板に対して左右に移動できる黒板装置が開発されている（特許文献２参照）。この公報に記載される黒板装置は、巻上スクリーンを主黒板に対してレールで左右に移動できるようにしている。このため、巻上スクリーンを左右に移動して、主黒板に対して相対的に移動できるようにしている。この構造は、スクリーンと主黒板の両方を一緒に使用するのに便利である。スクリーンが主黒板をカバーする部分を変更できるからである。
【０００５】
しかしながら、この構造の黒板装置は、使用しないときに巻上スクリーンを巻いて収納するので、年数が経過するにしたがって、開いたスクリーンの表面に凹凸ができやすく理想的な平面に保持するのが難しい欠点がある。とくに、長時間巻いた状態で保管すると、所定の曲率で曲がりくせが付いて、完全な平面に広げるのが難しくなる。この欠点は、図１に示す黒板装置においても同様である。
【０００６】
さらに、この欠点を解消するために、スクリーンを主黒板の背面に収納する黒板装置が開発されている（特許文献３参照）。この公報に記載される黒板装置は、黒板の両側に、左右に引出しできるようにスクリーンに使用できる拡張ボードを設けている。この構造によると、スクリーンを使用するときには、拡張ボードを主黒板から横に引き出して使用できる。また、スクリーンを使用しないときは、主黒板の裏面に押し込んで収納できる。
【０００７】
しかしながら、スクリーンを左右に引き出しする黒板装置は、スクリーンに映像を投影するプロジェクターの位置を最適位置にできないという欠点がある。たとえば、学校の教室で黒板とスクリーンを使用する場合、教卓にプロジェクターを置いてスクリーンに投影して便利に使用できる。ところが、黒板の左右に引き出されるスクリーンには、教室の中央に設置される教卓のプロジェクターから綺麗に投影できない。黒板の側部にあるスクリーンに綺麗に投影するには、教卓をスクリーンの前方まで移動させる必要がある。このため、プロジェクターを使用する毎に教卓を移動する必要があって便利に使用できない欠点がある。
【０００８】
本発明者は、この欠点を解決することを目的に図２に示す黒板装置を開発した。（特許文献４参照）この黒板装置は、主黒板９１と、この主黒板９１の側部にあって、主黒板９１を配置している面から前面に離して配置されて、主黒板９１との間に収納隙間９３を設けている補助黒板９２と、収納隙間９３に出し入れできるように収納され、かつ収納隙間９３から主黒板９１の前面に引き出しされ、かつ主黒板９１の前から収納隙間９３に収納される引出スクリーン組立９４とを備える。引出スクリーン組立９４は、収納隙間９３から引き出しできるように主黒板９１に連結してなる引出フレーム９６と、この引出フレーム９６の一方の側縁を中心として回動できるように引出フレーム９６に連結してなる傾動フレーム９８と、この傾動フレーム９８の前面に配置してなるスクリーン９９とを備える。この黒板装置は、傾動フレーム９８を引出フレーム９６と平行な姿勢として、引出スクリーン組立９４を収納隙間９３に収納し、引出スクリーン組立９４を収納隙間９３から引き出した状態で、傾動フレーム９８を傾動させてスクリーン９９を主黒板９１に対して所定の角度に停止する。
【０００９】
【特許文献１】特開２００２−２９３０９１号公報
【特許文献２】実開昭６１−２８５９２号公報
【特許文献３】特開２０００−２２５７９７号公報
【特許文献４】特開２００５−３５１６３号公報
【発明の開示】
【発明が解決しようとする課題】
【００１０】
この黒板装置は、全体の構造が複雑になって製造コストが高くなる。また、引出スクリーン組立を水平方向に移動して、補助黒板の背面に設けている収納隙間から引き出す構造から、全体の横幅が広くなる欠点がある。また、スクリーンを使用する状態では、スクリーンが主黒板が前面に位置するので、主黒板とスクリーンを一緒に使用できない欠点があった。
【００１１】
本発明の第１の目的は、この欠点を解決すること、すなわち、全体の構造を簡単にして製造コストを低減しながら、黒板とスクリーンとを互いに反対方向に上下に移動でき、黒板とスクリーンとを一緒に使用しながら、使用しないスクリーンを邪魔にならない位置に収納できる黒板装置を提供することにある。
また、本発明の他の大切な目的は、長い間使用しないで収納しても、表面に凹凸ができることがなく、使用するときにスクリーンの表面を理想的な平面にでき、スクリーンの寿命を著しく長くできる黒板装置を提供することにある。
【００１２】
さらに、スクリーンとして、タッチセンサを内蔵するタッチスクリーンが開発されている。タッチスクリーンは、表示させる画面の特定位置をタッチして、画面を切り換えることができるので便利に使用できる。ただ、タッチスクリーンと黒板とを上下に反対方向に移動させる黒板装置は、タッチスクリーンよりも重い黒板を、タッチスクリーンよりも上下に大きなストロークで上下に移動させる必要がある。それは、タッチスクリーンを使用するときは、黒板を邪魔にならない位置まで下げるが、タッチスクリーンはユーザーがタッチできる位置までしか上昇させないからである。また、黒板を使用するときは、黒板を上昇させて、黒板を便利な位置に配置するからである。黒板とタッチスクリーンをこの状態で上下に移動させる上下機構は、重い黒板を上下に大きく移動させながら、軽いタッチスクリーンを上下に小さく移動させる必要がある。このため、黒板とタッチスクリーンを重量バランスして上下に移動できず、上下機構の構造が複雑になる欠点がある。
【００１３】
本発明の第２の目的は、さらにこの欠点を解決すること、すなわち簡単な機構でもって、黒板とタッチスクリーンを上下反対方向に移動させると共に、タッチスクリーンよりも重い黒板を、タッチスクリーンよりも大きく上下に移動して、黒板とタッチスクリーンの両方を理想的な位置に配置できる黒板装置を提供することにある。
【課題を解決するための手段】
【００１４】
本発明の黒板装置は、前述の目的を達成するために以下の構成を備える。
本発明の請求項１の黒板装置は、垂直姿勢に保持されて上下に移動できるように本体１に連結している黒板２と、この黒板２の背面に配設されて、垂直姿勢に保持されて上下に移動できるように本体１に連結している黒板２よりも軽いタッチスクリーン３と、このタッチスクリーン３と黒板２を互いに反対方向に上下に移動させると共に、黒板２を軽いタッチスクリーン３よりも上下に大きく移動させる上下機構４とを備える。上下機構４は、黒板２に一端を連結している第１の紐状体５Ａと、この第１の紐状体５Ａをかけている第１の滑車６Ａと、この第１の滑車６Ａに連結している第１の歯車７Ａと、この第１の歯車７Ａとかみ合う第２の歯車７Ｂと、この第２の歯車７Ｂに連結している第２の滑車６Ｂと、この第２の滑車６Ｂにかけられて一端をタッチスクリーン３に連結している第２の紐状体５Ｂと、第１の紐状体５Ａの一端に連結されて黒板２の重量とバランスさせて、黒板２を引き上げ方向に牽引する第１の重り８Ａと、第２の紐状体５Ｂの一端に連結されてタッチスクリーン３の重量とバランスさせてタッチスクリーン３を引き上げ方向に牽引する第２の重り８Ｂとを備える。第１の歯車７Ａの外径（Ｒ１）と第２の滑車６Ｂの外径（ｒ２）の積は、第２の歯車７Ｂの外径（Ｒ２）と第１の滑車６Ａの外径（ｒ１）の積よりも小さくしている。この黒板装置は、黒板２が上下に移動されると、黒板２が第１の紐状体５Ａを介して第１の滑車６Ａを回転し、回転する第１の滑車６Ａが第１の歯車７Ａを介して第２の歯車７Ｂを反対方向に回転し、第２の歯車７Ｂが第２の滑車６Ｂと第２の紐状体５Ｂを介してタッチスクリーン３を黒板２と反対方向に移動する。
【００１５】
本発明の請求項２の黒板装置は、垂直姿勢に保持されて上下に移動できるように本体１に連結している黒板２と、この黒板２の背面に配設されて、垂直姿勢に保持されて上下に移動できるように本体１に連結している黒板２よりも軽いタッチスクリーン３と、このタッチスクリーン３と黒板２を互いに反対方向に上下に移動させると共に、黒板２を軽いタッチスクリーン３よりも上下に大きく移動させる上下機構４とを備える。上下機構４は、黒板２に一端を連結している第１の紐状体５Ａと、この第１の紐状体５Ａをかけている第１の滑車６Ａと、この第１の滑車６Ａに連結している第２の滑車６Ｂと、この第２の滑車６Ｂにかけられて一端をタッチスクリーン３に連結している第２の紐状体５Ｂと、第１の紐状体５Ａの一端に連結されて黒板２の重量とバランスさせて、黒板２を引き上げ方向に牽引する第１の重り８Ａと、第２の紐状体５Ｂの一端に連結されてタッチスクリーン３の重量とバランスさせてタッチスクリーン３を引き上げ方向に牽引する第２の重り８Ｂとを備える。さらに、上下機構４は、第２の滑車６Ｂの外径（ｒ２）を第１の滑車６Ａの外径（ｒ１）よりも小さくすると共に、黒板２とタッチスクリーン３が互いに上下反対方向に移動するように、紐状体５を滑車６にかけている。この黒板装置は、黒板２が上下に移動されると、黒板２が第１の紐状体５Ａを介して第１の滑車６Ａを回転し、回転する第１の滑車６Ａが第２の滑車６Ｂを回転し、回転する第２の滑車６Ｂが第２の紐状体５Ｂを介してタッチスクリーン３を黒板２と反対方向に移動する。
【００１６】
さらに、本発明の請求項３の黒板装置は、第１の紐状体５Ａを第１の滑車６Ａにスリップできるように連結しており、また、請求項４の黒板装置は、第２の紐状体５Ｂを第２の滑車６Ｂにスリップできるように連結している。この構成によると、紐状体５と滑車６とをスリップさせて、黒板２とタッチスクリーン３の相対位置を簡単に調整できる。したがって、何回も繰り返し、黒板２とタッチスクリーン３とを上下に移動して、黒板２とタッチスクリーン３とが正常の位置がずれるとき、紐状体５を滑車６にスリップさせて、両方の相対位置を正常な位置に簡単に修正できる。
【００１７】
また、本発明の請求項５の黒板装置は、請求項１または２の構成に加えて、第１の重り８Ａを黒板２の重量に等しくして、第２の重り８Ｂをタッチスクリーン３の重量に等しくするので、黒板２とタッチスクリーン３とを、極めてスムーズに軽く上下に移動できる特徴がある。本明細書において、黒板２と第１の重り８Ａの重量が等しいとは、黒板２と重り８とをバランスさせて上下に移動しない状態を意味する。また、タッチスクリーン３と第２の重り８Ｂの重量が等しいとは、タッチスクリーン３と第２の重り８Ｂとをバランスさせて上下に移動しない状態を意味する。
【００１８】
さらに、本発明の請求項６の黒板装置は、請求項１の構成に加えて、歯車７の外周面に、中央部に沿って円周溝１０を設けて、円周溝１０の外周を滑車６の外周として、歯車７と滑車６を一体構造とする。この構造によると、滑車６を歯車７に一体構造とするので、互いに連結される滑車６と歯車７の全体幅を薄くでき、また、滑車６の両側に歯車７があるので、歯車７でもって滑車６にかけている紐状体５の外れを防止できる特徴がある。さらにまた、滑車６と歯車７とを一体構造とするので、滑車６と歯車７とを確実に一緒に回転でき、また滑車６と歯車７とを安価に製作できる特徴もある。
【００１９】
さらにまた、本発明の請求項７の黒板２は、請求項１の構成に加えて、第１の滑車６Ａを第１の歯車７Ａの側面に固定して、第２の滑車６Ｂを第２の歯車７Ｂの側面に固定している。この構成によると、滑車６と歯車７とに、すでに市販されている規格品のものを使用し、これを固定して上下機構４を製作できる。
【発明の効果】
【００２０】
本発明の黒板装置は、全体の構造を簡単にして製造コストを低減しながら、黒板と軽いタッチスクリーンとを互いに反対方向に上下に移動して、黒板とタッチスクリーンとを一緒に使用でき、しかも使用しないタッチスクリーンを邪魔にならない位置に収納できる特徴がある。それは、本発明の黒板装置が、上下機構でもって、黒板と、その背面に配置する軽いタッチスクリーンとを上下反対方向に移動させるからである。
【００２１】
さらに、本発明の黒板装置は、タッチスクリーンを使用しないときには、黒板の背面に収納するので、長い間使用しないで収納してもタッチスクリーン表面に凹凸ができることがなく、また、タッチスクリーンが日に焼けたり、汚れたりするのを有効に防止してタッチスクリーンの寿命を著しく長くできる。また、使用しないときに平面状のタッチスクリーンが邪魔になることもない。
【００２２】
さらに、本発明の黒板装置は、簡単な機構でもって、黒板を降下させると共に、この黒板よりも軽いタッチスクリーンを黒板の降下距離よりも小さく上昇して、黒板とタッチスクリーンの両方を理想的な位置に配置できる特徴がある。それは本発明の黒板装置装置が、滑車と歯車と重りとを独特の構造に組み合わせて、あるいは、外径の異なる滑車と重りと紐状体とを独特の構造に組み合わせて、黒板と、これより軽いタッチスクリーンとを上下反対方向に、また、タッチスクリーンを黒板よりも小さなストロークで上下に移動できるからである。
【発明を実施するための最良の形態】
【００２３】
以下、本発明の実施例を図面に基づいて説明する。ただし、以下に示す実施例は、本発明の技術思想を具体化するための黒板装置を例示するものであって、本発明は黒板装置を以下のものに特定しない。
【００２４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２５】
図３ないし図１１に示す黒板装置は、垂直姿勢に保持されて上下に移動できるように本体１に連結している黒板２と、この黒板２の背面に配設されて、垂直姿勢に保持されて上下に移動できるように本体１に連結しているタッチスクリーン３と、このタッチスクリーン３と黒板２を互いに反対方向に上下に移動させる上下機構４とを備える。
【００２６】
本体１は、箱形で前面に黒板２とサブ黒板１１を配置する大きさとしている。図３ないし図５の本体１は、右側に黒板２とタッチスクリーン３を前後に配置して、左側にサブ黒板１１を配置している。さらに、図の本体１は、定位置にある黒板２とサブ黒板１１よりも下側の内部に、収納スペース２５を設けている。この収納スペース２５は、前面に設けた引戸２６を開閉して、内部に種々の物品を便利に収納できる。
【００２７】
サブ黒板１１は、上下に移動できるように本体１に連結している。このサブ黒板１１は、図８ないし図１０に示すように、バランスウエイト１２でバランスして上下に移動される。バランスウエイト１２はサブ黒板１１と同じ重量で、滑車１３にかけている紐体１４を介して連結されている。サブ黒板１１は左右の両端部に紐体１４を連結している。サブ黒板１１の左右に連結している紐体１４は、本体１に回転できるように連結している滑車１３にかけられて、先端をバランスウエイト１２に連結している。さらに、本体１は、図５に示すように、サブ黒板１１の背面に、テレビモニタ１５の収納部１６を設けている。この黒板装置は、サブ黒板１１を降下させて、収納部１６に配置するテレビモニタ１５を外部に表出して、テレビモニタ１５を使用できる状態とする。
【００２８】
さらに、図６ないし図１１に示す本体１は、黒板２、タッチスクリーン３及びサブ黒板１１を上下方向に案内する上下レール１７を備える。上下レール１７は、黒板２、タッチスクリーン３及びサブ黒板１１の両側に位置して垂直姿勢で設けている。図に示す本体１は、両側に設けた側部支柱１８の内面と、中央に設けた中央支柱１９の両側面に上下レール１７を設けている。図の黒板装置は、向かって右半面に黒板２とタッチスクリーン３を、左半面にサブ黒板１１を配置しているので、右側の側部支柱１８の内面と中央支柱１９の右面には２列の上下レール１７を、左側の側部支柱１８の内面と中央支柱１９の左面には１列の上下レール１７をそれぞれ設けている。これらの上下レール１７は、図１２の拡大水平断面図に示すように、断面形状をＣ字状とするレール、たとえば、Ｃ型鋼である。黒板２、タッチスクリーン３及びサブ黒板１１は、両側に昇降部材２０を連結しており、この昇降部材２０を上下レール１７の内側に配置して、上下に移動できる構造としている。黒板２とサブ黒板１１は、両側部の背面に連結金具２１を固定すると共に、この連結金具２１に昇降部材２０を連結している。タッチスクリーン３は、両側部の背面に固定した固定プレート２２に連結金具２１を固定すると共に、この連結金具２１に昇降部材２０を連結している。昇降部材２０は、連結金具２１に連結されて上下レール１７内を上下に移動する移動プレート２０Ａと、この移動プレート２０Ａの両側に位置して、上下に連結された複数の昇降ローラ２０Ｂからなる。昇降部材２０は、これらの昇降ローラ２０Ｂを上下レール１７の内側で回転できるように配設している。黒板２、タッチスクリーン３及びサブ黒板１１は、上下レール１７に沿って上下方向に正確に移動できるように、片側に複数の昇降部材２０を連結している。図１３の概略斜視図に示す黒板２及びタッチスクリーン３は、両側の下端部と中間部とに連結金具２１を連結して、これらの連結金具２１に昇降部材２０を連結している。これらの昇降部材２０は、黒板２、タッチスクリーン３及びサブ黒板１１を上下に移動させる状態で、上下レール１７から外れることなくレール内を移動できる位置に配設している。
【００２９】
黒板２とサブ黒板１１は、四角形の板状で前面に黒板塗料を塗布している。ところで、本明細書において黒板は、チョークで文字や図形を書くものに加えて、フェルトペン等で文字や図形を書くことができる白板を含む広い意味に使用する。黒板２とサブ黒板１１は、前面が垂直面に位置される姿勢として、左右をバランスして上下に移動できるように本体１に連結される。黒板２とサブ黒板１１は、本体１に垂直方向に設けた上下レール１７に沿って上下に移動するように連結される。黒板２は、板材の表面に黒板塗料を塗布したもので、タッチスクリーン３よりも重い。
【００３０】
タッチスクリーン３は、タッチセンサを備えるスクリーンである。このタッチスクリーン３は、タッチセンサに接続している可撓性の信号線を介して、タッチスクリーン３に画像を表示しているコンピュータ（図示せず）に接続される。このコンピュータは、タッチスクリーン３の外部に設置されている。タッチスクリーン３は、黒板２とほぼ同じ大きさの四角形で、黒板２の背面に、表面を垂直面に位置させる姿勢として、左右をバランスして上下に移動できるように本体１に連結される。このタッチスクリーン３も、本体１に上下に設けた上下レール１７に沿って上下に移動できるように連結される。
【００３１】
上下機構４は、黒板２とタッチスクリーン３の両側に配設される。両側の上下機構４は、黒板２とタッチスクリーン３の上縁を水平姿勢に保持して、左右をバランスさせて上下に移動させる。したがって、黒板２とタッチスクリーン３の両側には同じ構造の上下機構４が配置される。図９に示す上下機構４は、本体１の右半面に配置される黒板２とタッチスクリーン３の両側であって、本体１の側壁２７の内面と中央壁２８の内面とに配設している。図に示す本体１は、側壁２７の内面と中央壁２８の内面とに、収納隙間２９を設けており、この収納隙間２９に、左右の上下機構４を配置している。
【００３２】
上下機構４は、黒板２とタッチスクリーン３とを上下反対方向に移動させるが、黒板２の移動量はタッチスクリーン３の移動量よりも大きい。すなわち、上下機構４は、重い黒板２を軽いタッチスクリーン３よりも上下に大きく移動させる。この状態で移動される黒板２とタッチスクリーン３は、たとえば、簡単な機構であるテコなどを使用して、黒板２とタッチスクリーン３とを重量バランスさせて上下に移動できない。黒板２とタッチスクリーン３とを重量バランスせるテコでは、重い黒板２の移動量が軽いタッチスクリーン３の移動量よりも小さくなるからである。
【００３３】
本発明の黒板装置は、図１３と図１４の概略図に示す簡単な機構の上下機構４でもって、重い黒板２と軽いタッチスクリーン３とを重量バランスさせながら、重い黒板２を軽いタッチスクリーン３よりも大きなストロークで上下に移動させる。図１３と図１４の上下機構４は、黒板２に一端を連結している第１の紐状体５Ａと、この第１の紐状体５Ａをかけている第１の滑車６Ａと、この第１の滑車６Ａに連結している第１の歯車７Ａと、この第１の歯車７Ａとかみ合う第２の歯車７Ｂと、この第２の歯車７Ｂに連結してなる第２の滑車６Ｂと、この第２の滑車６Ｂにかけられて一端をタッチスクリーン３に連結している第２の紐状体５Ｂと、第１の紐状体５Ａの一端に連結されて黒板２を引き上げ方向に牽引する第１の重り８Ａと、第２の紐状体５Ｂの一端に連結されてタッチスクリーン３を引き上げ方向に牽引する第２の重り８Ｂとを備える。
【００３４】
第１の滑車６Ａは第１の歯車７Ａに連結され、第２の滑車６Ｂは第２の歯車７Ｂに連結されて、第１の滑車６Ａと第１の歯車７Ａは一緒に回転され、第２の滑車６Ｂと第２の歯車７Ｂは一緒に回転される。図１５の上下機構４は、歯車７の外周面に、中央部に沿って円周溝１０を設けて、円周溝１０の底部の外周を滑車６の外周として、歯車７と滑車６を一体構造としている。この構造は、歯車７の外周面を中央部に沿って切削して円周溝１０を設けて製作される。この構造は、滑車６を歯車７を一体構造とするので、滑車６と歯車７とを確実に一緒に回転でき、また滑車６と歯車７とを安価に製作できる特徴がある。また、この構造は、互いに連結される滑車６と歯車７の全体幅を薄くでき、上下機構４の収納隙間２９を歯車７の幅として省スペースに配置できる。とくに、この構造は、滑車６が歯車７の中央部に位置するので、紐状体５や重り８を収納隙間２９の中央部に配置できる特長がある。さらに、この構造は、滑車６の両側に歯車７があるので、歯車７でもって滑車６にかけている紐状体５の外れを防止できる特徴もある。さらにまた、歯車７の中央部に滑車６を設ける構造は、滑車６にかけた紐状体５を介して歯車７をバランスよく回転できる特長もある。
【００３５】
図１６の上下機構４は、歯車７の側面に滑車６を固定して、歯車７と滑車６を一緒に回転できるように連結している。この構造は、滑車６と歯車７とに、すでに市販されている規格品のものを使用し、これを固定して簡単に上下機構４を製作できる。
【００３６】
滑車６と歯車７は、回転軸２３を介して垂直プレート２４に回転できるように固定される。垂直プレート２４は、黒板２とタッチスクリーン３の両側に垂直姿勢に配置されて、黒板２とタッチスクリーン３の両側に上下機構４を配設する。さらに、図９ないし図１１、図１３及び図１４に示す上下機構４は、第１の滑車６Ａと第２の滑車６Ｂに加えて、アイドルプーリ９を設けている。アイドルプーリ９は、第１の滑車６Ａの第１の紐状体５Ａをかける第１のアイドルプーリ９Ａと、第２の滑車６Ｂの第２の紐状体５Ｂをかける第２のアイドルプーリ９Ｂとからなる。第１のアイドルプーリ９Ａは、第１の滑車６Ａから離されて、図においては、第１の滑車６Ａの後方に離されて、垂直プレート２４に回転できるように連結している。第２のアイドルプーリ９Ｂは、第２の滑車６Ｂから離されて、図においては、第２の滑車６Ｂの後方に離されて、垂直プレート２４に回転できるように連結している。アイドルプーリ９を設けている上下機構４は、アイドルプーリ９で紐状体５の重り８の連結位置を自由に変更して、重り８を最適位置に配置できる。ただし、上下機構には、必ずしもアイドルプーリを設ける必要はなく、滑車にかけた紐状体をアイドルプーリにかけることなく、重りを連結することもできる。
【００３７】
図９と図１０の上下機構４は、本体１の側壁２７の内面と中央壁２８の内面に設けた収納隙間２９の幅を狭くして、この狭い収納隙間２９の内側に第１の重り８Ａと第２の重り８Ｂとを配設している。この上下機構４は、第１の重り８Ａと第２の重り８Ｂとが互いに重なり合わないように、アイドルプーリ９の位置を調整している。この構造は、第１の重り８Ａと第２の重り８Ｂを、側壁２７と中央壁２８に接近して設けた狭い収納隙間２９に配置できるので、本体１の内部を有効に利用できる特長がある。図６と図７に示す本体１は、タッチスクリーン３の背面側であって側壁２７と中央壁２８の間に収納スペース３０を設けている。この収納スペース３０は、本体１の背面に設けた引戸３１を開閉して、内部に種々の物品を便利に収納できる。
【００３８】
第１の紐状体５Ａは、一端に黒板２を連結すると共に、他端に第１の重り８Ａを連結している。さらに、第１の紐状体５Ａは、中間部分を第１の滑車６Ａと第１のアイドルプーリ９Ａにかけている。第２の紐状体５Ｂは、一端にタッチスクリーン３を連結すると共に、他端に第２の重り８Ｂを連結している。さらに、第２の紐状体５Ｂは、中間部分を第２の滑車６Ｂと第２のアイドルプーリ９Ｂにかけている。第１の紐状体５Ａの一端は、図１３に示すように、黒板２の背面に固定した連結金具２１に、連結プレート３２を介して連結している。また、第２の紐状体５Ｂの一端は、タッチスクリーン３に固定した連結金具２１に、連結プレート３２を介して連結している。紐状体５の一端を連結する連結プレート３２は、黒板２及びタッチスクリーン３の両側の中間部に固定した連結金具２１に連結している。とくに、タッチスクリーン３の両側の中間部に、第２の紐状体５Ｂの一端を連結する構造は、この連結部分が第２の滑車６Ｂの位置に上昇するまでタッチスクリーン３を上昇できる。したがって、タッチスクリーン３の上端を、図４と図７に示すように、本体１の上端よりも高い位置まで上昇できる。
【００３９】
第１の重り８Ａは黒板２の重量に等しく、第２の重り８Ｂはタッチスクリーン３の重量に等しい。この上下機構４は、黒板２とタッチスクリーン３の各々を独立して、重り８で重量バランスできる。このため、黒板２とタッチスクリーン３の重量差による回転トルクが歯車７に作用せず、黒板２とタッチスクリーン３とを極めてスムーズに上下に移動できる。ただ、第１の重り８Ａの重量を黒板２と同じにせず、また、第２の重り８Ｂの重量をタッチスクリーン３と同じにすることなく、黒板２とタッチスクリーン３と第１の重り８Ａ及び第２の重り８Ｂとで、全体的に重量バランスさせて、黒板２とタッチスクリーン３とを重量差で自然に上下に移動しないようにすることもできる。たとえば、第１の重り８Ａを黒板２の重量よりも軽くし、また、第２の重り８Ｂをタッチスクリーン３の重量よりも重くし、あるいはその反対に、第１の重り８Ａを黒板２の重量よりも重くし、また第２の重り８Ｂをタッチスクリーン３の重量よりも軽くして、黒板２とタッチスクリーン３とを重量バランスさせることもできる。この構造は、第１の歯車７Ａと第２の歯車７Ｂとに重量差による回転トルクが作用するが、その回転トルクの方向を逆方向に打ち消す状態として、黒板２とタッチスクリーン３を重量バランスさせる。
【００４０】
さらに、上下機構４は、第１の紐状体５Ａを第１の滑車６Ａにスリップできるように連結すると共に、第２の紐状体５Ｂを第２の滑車６Ｂにスリップできるように連結している。この構造の上下機構４は、紐状体５と滑車６とをスリップさせて、黒板２とタッチスクリーン３の相対位置を簡単に調整できる。たとえば、黒板２とタッチスクリーン３とを、繰り返し何度も上下に移動させると、黒板２とタッチスクリーン３との相対位置が正常の位置からずれることがある。このような場合に、紐状体５と滑車６とをスリップできる上下機構４は、紐状体５を滑車６に対してスリップさせて、黒板２とタッチスクリーン３との相対位置を正常な位置に簡単に修正できる。
【００４１】
以上の上下機構４は、黒板２とタッチスクリーン３が上下反対に移動するストロークを調整するために、すなわち、黒板２をタッチスクリーン３よりも大きなストロークで上下に移動させるために、第１の歯車７Ａの外径（Ｒ１）と第２の滑車６Ｂの外径（ｒ２）の積を、第２の歯車７Ｂの外径（Ｒ２）と第１の滑車６Ａの外径（ｒ１）の積よりも小さくしている。ここで、第１の歯車７Ａの外径（Ｒ１）と第２の滑車６Ｂの外径（ｒ２）の積（Ｒ１×ｒ２）を、第２の歯車７Ｂの外径（Ｒ２）と第１の滑車６Ａの外径（ｒ１）の積（Ｒ２×ｒ１）よりも小さくするのは、以下の理由による。
【００４２】
黒板２を上下に移動させるとき、第１の紐状体５Ａを介して第１の滑車６Ａが回転される。ここで、黒板２の移動距離（Ｓ１）は、第１の滑車６Ａの外周に沿って移動する第１の紐状体５Ａの長さであり、第１の滑車６Ａの外周の長さと第１の滑車６Ａの回転数（ｎ１）の積となる。すなわち、
Ｓ１＝π×ｒ１×ｎ１
となる。次に、第１の滑車６Ａと第１の歯車７Ａは一体となっているので、これらの回転数（ｎ１）は等しく、また、第２の滑車６Ｂと第２の歯車７Ｂは一体となっているので、これらの回転数（ｎ２）は等しくなる。さらに、第１の歯車７Ａと第２の歯車７Ｂとは噛み合っているので、第１の歯車７Ａの回転数（ｎ１）と第２の歯車７Ｂの回転数（ｎ２）の比は、第１の歯車７Ａの外径（Ｒ１）と第２の歯車７Ｂの外径（Ｒ２）の逆比、すなわち、
ｎ１：ｎ２＝Ｒ２：Ｒ１
となる。さらにまた、回転する第２の滑車６Ｂに沿って第２の紐状体５Ｂが移動して、タッチスクリーン３が上下に移動する。したがって、タッチスクリーン３の移動距離（Ｓ２）は、第２の滑車６Ｂの外周に沿って移動する第２の紐状体５Ｂの長さであり、第２の滑車６Ｂの外周の長さと回転数（ｎ２）の積となる。すなわち、
Ｓ２＝π×ｒ２×ｎ２
となる。以上の式より、
Ｓ１：Ｓ２＝ｒ１×ｎ１：ｒ２×ｎ２＝ｒ１×Ｒ２：ｒ２×Ｒ１
となる。したがって、黒板２の移動距離（Ｓ１）をタッチスクリーン３の移動距離（Ｓ２）よりも大きくして、黒板２をタッチスクリーン３よりも大きなストロークで上下に移動させるために、Ｒ１×ｒ２をＲ２×ｒ１よりも小さくしている。
【００４３】
以上のように、上下機構４は、Ｒ１×ｒ２：Ｒ２×ｒ１の比を調整して、黒板２とタッチスクリーン３の上下のストロークの比Ｓ１：Ｓ２を調整できる。図の上下機構４は、第１の歯車７Ａを第２の歯車７Ｂよりも小さくし、さらに、第１の滑車６Ａを第２の滑車６Ｂよりも大きくしている。すなわち、Ｒ１＜Ｒ２、ｒ１＞ｒ２として、Ｒ１×ｒ２：Ｒ２×ｒ１の比を大きくして、黒板２とタッチスクリーン３の上下のストローク比Ｓ１：Ｓ２を大きくしている。ただ、上下機構は、必ずしも第１の歯車を第２の歯車より小さくして、第１の滑車を第２の滑車よりも大きくする必要はなく、Ｒ１×ｒ２がＲ２×ｒ１よりも小さくなるように個々の外径を設計することができる。
【００４４】
以上の構造の上下機構４は、以下のようにして、黒板２を降下位置に、タッチスクリーン３を上昇位置に移動させる。
（１）図３と図６に示すように、黒板２とタッチスクリーン３は、定位置にあっては、黒板２が上昇位置に、タッチスクリーン３が降下位置にある。このとき、タッチスクリーン３は黒板２の背面に位置しており、正面からはタッチスクリーン３が見えない状態にある。
（２）図１３と図１４の矢印Ａで示すように、黒板２を降下させる。黒板２は、左右の両側部に設けた上下レール１７に沿って降下する。黒板２は、両側部の背面に連結金具２１を介して昇降部材２０を連結しており、この昇降部材２０を上下レール１７内で移動させながら降下する。黒板２が降下すると、黒板２に連結された第１の紐状体５Ａの一端が下方に引っ張られて、第１の滑車６Ａを、図１４の矢印Ｂで示す方向に回転させる。
（３）回転する第１の滑車６Ａは、第１の歯車７Ａを同じ方向に回転させる。
（４）回転する第１の歯車７Ａは、これと噛み合っている第２の歯車７Ｂを反対方向（図１４の矢印Ｃで示す方向）に回転させる。
（５）回転する第２の歯車７Ｂは、第２の滑車６Ｂを同じ方向に回転させる。
（６）回転する第２の滑車６Ｂは、第２の紐状体５Ｂを、図１４の矢印Ｄで示す方向に移動させる。
（７）第２の滑車６Ｂを介して移動される第２の紐状体５Ｂが、図１３と図１４の矢印Ｅで示すようにタッチスクリーン３を引き上げる。タッチスクリーン３は、左右の両側部に設けた上下レール１７に沿って上昇する。
（８）以上のようにして、黒板２が降下位置まで引き下げられると、タッチスクリーン３
が上昇位置まで上昇する。
【００４５】
さらに、上下機構４は、以上と反対方向に黒板２を移動させて、すなわち、降下位置にある黒板２を上昇位置まで引き上げて、タッチスクリーン３を降下位置まで降下させる。この状態で、黒板２とタッチスクリーン３は、図３と図６に示す定位置まで移動する。
【００４６】
さらに、本発明の黒板装置は、上下機構を図１７ないし図２０に示す構造とすることもできる。ただし、これらの図において、前述の実施例と同じ構成要素については、同符号を付して、その詳細な説明を省略する。これら図に示す上下機構４は、黒板２に一端を連結している第１の紐状体５Ａと、この第１の紐状体５Ａをかけている第１の滑車６Ａと、この第１の滑車６Ａに連結している第２の滑車６Ｂと、この第２の滑車６Ｂにかけられて一端をタッチスクリーン３に連結している第２の紐状体５Ｂと、第１の紐状体５Ａの一端に連結されて黒板２を引き上げ方向に牽引する第１の重り８Ａと、第２の紐状体５Ｂの一端に連結されてタッチスクリーン３を引き上げ方向に牽引する第２の重り８Ｂとを備える。
【００４７】
第１の滑車６Ａは、第２の滑車６Ｂに連結しており、第１の滑車６Ａと第２の滑車６Ｂは一緒に回転される。図の滑車６は、第１の滑車の側面に第２の滑車を固定して、第１の滑車６Ａと第２の滑車６Ｂとを、同じ回転軸２３を中心として一緒に回転できるように連結している。さらに、滑車６は、黒板２とタッチスクリーン３が上下反対に移動するストロークを調整するために、すなわち、黒板２をタッチスクリーン３よりも大きなストロークで上下に移動させるために、第２の滑車６Ｂの外径（ｒ２）を、第１の滑車６Ａの外径（ｒ１）よりも小さくしている。この上下機構４は、第１の滑車６Ａの外径（ｒ１）と第２の滑車６Ｂの外径（ｒ２）の比ｒ１：ｒ２を調整して、黒板２とタッチスクリーン３の上下のストロークの比Ｓ１：Ｓ２を調整できる。
【００４８】
さらに、図に示す上下機構４は、黒板２とタッチスクリーン３が互いに上下反対方向に移動するように、紐状体５を滑車６にかけている。この上下機構４は、黒板２が第１の滑車６Ａの前方に位置するように、第１の紐状体５Ａを第１の滑車６Ａにかけると共に、タッチスクリーン３が第２の滑車６Ｂの後方に位置するように、第２の紐状体５Ｂを第２の滑車６Ｂにかけている。この上下機構４は、互いに連結された第１の滑車６Ａと第２の滑車６Ｂが一緒に同方向に回転するが、第１の滑車６Ａにかける第１の紐状体５Ａの一端に連結する黒板２と、第２の滑車６Ｂにかける第２の紐状体５Ｂの一端に連結するタッチスクリーン３の配置を前後逆位置としているので、黒板２とタッチスクリーン３が互いに上下反対方向に移動する。この構造は、きわめて簡単な構造で黒板２とタッチスクリーン３とを互いに上下反対方向に移動できる。
【００４９】
さらに、図に示す上下機構４は、第１の紐状体５Ａと第２の紐状体５Ｂを、第１の滑車６Ａと第２の滑車６Ｂの定位置に案内すると共に、第１の重り８Ａと第２の重り８Ｂを所定の位置に配置するために、複数のアイドルプーリ９を設けている。アイドルプーリ９は、第１の滑車６Ａの第１の紐状体５Ａをかける第１のアイドルプーリ９Ａと、第２の滑車６Ｂの第２の紐状体５Ｂをかける第２ないし第４のアイドルプーリ９Ｂ、９Ｃ、９Ｄとからなる。
【００５０】
第２の滑車６Ｂにかける第２の紐状体５Ｂを案内する第２ないし第４のアイドルプーリ９Ｂ、９Ｃ、９Ｄは、タッチスクリーン３が第２の滑車６Ｂの後方に位置するように配置している。図１９の上下機構４は、タッチスクリーン３を第２の滑車６Ｂの後方に配置するために、第２の滑車６Ｂの前方の上下に位置して、第３のアイドルプーリ９Ｃと第４のアイドルプーリ９Ｄを配置している。さらに、第２のアイドルプーリ９Ｂは、第２の滑車６Ｂから離して、図において、第２の滑車６Ｂの後方に配置して、第２の重りをタッチスクリーン３の後方に配置している。第２の紐状体５Ｂは、一端にタッチスクリーン３を連結すると共に、他端に第２の重り８Ｂを連結している。さらに、第２の紐状体５Ｂは、中間部分を、順に第２の滑車６Ｂ、第４のアイドルプーリ９Ｄ、第３のアイドルプーリ９Ｃ、第２のアイドルプーリ９Ｂにかけている。このように複数のアイドルプーリ９を介して第２の紐状体５Ｂを配置する構造は、第２の重り８Ｂをタッチスクリーン３の後方に配置しながら、タッチスクリーン３を第２の滑車６Ｂの後方に配置できる。さらに、第２の紐状体５Ｂを広い接触面積で第２の滑車６Ｂに接触できるように配設できる特徴もある。
【００５１】
第１のアイドルプーリ９Ａは、第１の滑車６Ａから離されて、図においては、第１の滑車６Ａの後方に離されて、垂直プレート２４に回転できるように連結している。第１の紐状体５Ａは、一端に黒板２を連結すると共に、他端に第１の重り８Ａを連結している。さらに、第１の紐状体５Ａは、中間部分を第１の滑車６Ａと第１のアイドルプーリ９Ａにかけている。第１のアイドルプーリ９Ａと第２のアイドルプーリ９Ｂは、紐状体５の重り８の連結位置を自由に変更して、重り８を最適位置に配置できる。ただし、上下機構には、必ずしもアイドルプーリを設ける必要はなく、滑車にかけた紐状体をアイドルプーリにかけることなく、重りを連結することもできる。
【００５２】
第１の重り８Ａは黒板２の重量に等しく、第２の重り８Ｂはタッチスクリーン３の重量に等しい。この上下機構４は、黒板２とタッチスクリーン３の各々を独立して、重り８で重量バランスできる。このため、黒板２とタッチスクリーン３の重量差による回転トルクが滑車６に作用せず、黒板２とタッチスクリーン３とを極めてスムーズに上下に移動できる。ただ、第１の重り８Ａの重量を黒板２と同じにせず、また、第２の重り８Ｂの重量をタッチスクリーン３と同じにすることなく、黒板２とタッチスクリーン３と第１の重り８Ａ及び第２の重り８Ｂとで、全体的に重量バランスさせて、黒板２とタッチスクリーン３とを重量差で自然に上下に移動しないようにすることもできる。
【００５３】
さらに、上下機構４は、第１の紐状体５Ａを第１の滑車６Ａにスリップできるように連結すると共に、第２の紐状体５Ｂを第２の滑車６Ｂにスリップできるように連結している。この構造の上下機構４は、紐状体５と滑車６とをスリップさせて、黒板２とタッチスクリーン３の相対位置を簡単に調整できる。たとえば、黒板２とタッチスクリーン３とを、繰り返し何度も上下に移動させると、黒板２とタッチスクリーン３との相対位置が正常の位置からずれることがある。このような場合に、紐状体５と滑車６とをスリップできる上下機構４は、紐状体５を滑車６に対してスリップさせて、黒板２とタッチスクリーン３との相対位置を正常な位置に簡単に修正できる。
【００５４】
図１７ないし図２０に示す構造の上下機構４は、以下のようにして、黒板２を降下位置に、タッチスクリーン３を上昇位置に移動させる。
（１）黒板２とタッチスクリーン３は、定位置にあっては、黒板２が上昇位置に、タッチスクリーン３が降下位置にある。このとき、タッチスクリーン３は黒板２の背面に位置しており、正面からはタッチスクリーン３が見えない状態にある。
（２）図１９と図２０の矢印Ａで示すように、黒板２を降下させる。黒板２は、左右の両側部に設けた上下レール１７に沿って降下する。黒板２が降下すると、黒板２に連結された第１の紐状体５Ａの一端が下方に引っ張られて、第１の滑車６Ａを、図１９の矢印Ｂで示す方向に回転させる。
（３）回転する第１の滑車６Ａは、第２の滑車６Ｂを同じ方向（図１９において矢印Ｃで示す方向）に回転させる。
（４）回転する第２の滑車６Ｂは、第２の紐状体５Ｂを、図１９の矢印Ｄで示す方向に移動させる。
（５）第２の滑車６Ｂを介して移動される第２の紐状体５Ｂが、図１９と図２０の矢印Ｅで示すようにタッチスクリーン３を引き上げる。タッチスクリーン３は、左右の両側部に設けた上下レール１７に沿って上昇する。
（６）以上のようにして、黒板２が降下位置まで引き下げられると、タッチスクリーン３
が上昇位置まで上昇する。
【００５５】
さらに、上下機構４は、以上と反対方向に黒板２を移動させて、すなわち、降下位置にある黒板２を上昇位置まで引き上げて、タッチスクリーン３を降下位置まで降下させる。この状態で、黒板２とタッチスクリーン３は、定位置まで移動する。
【産業上の利用可能性】
【００５６】
本発明の黒板装置では、会議や授業、プレゼンテーション等において、黒板とタッチスクリーンの両方を有効に活用して、極めて便利に使用できる。とくに、簡単な操作で、タッチスクリーンを使用位置まで移動でき、またタッチスクリーンを使用しないときには、邪魔にならない位置にコンパクトに収納できる。
【図面の簡単な説明】
【００５７】
【図１】従来の黒板装置の一例を示す正面図である。
【図２】本発明者が先に開発した黒板装置の水平断面図である。
【図３】本発明の一実施例にかかる黒板装置の正面図である。
【図４】図３に示す黒板装置の黒板を降下位置としてタッチスクリーンを上昇位置とする状態を示す正面図である。
【図５】図３に示す黒板装置のサブ黒板を降下位置とする状態を示す正面図である。
【図６】図３に示す黒板装置の右側部分の垂直断面図である。
【図７】図４に示す黒板装置の右側部分の垂直断面図である。
【図８】図３に示す黒板装置の左側部分の垂直断面図である。
【図９】図３に示す黒板装置の上下機構を示す水平断面図である。
【図１０】図９に示す黒板装置の拡大断面図である。
【図１１】図３に示す黒板装置の上下機構を示す垂直断面図である。
【図１２】本体の中央支柱部分を示す拡大断面図である。
【図１３】上下機構を示す概略斜視図である。
【図１４】上下機構を示す概略正面図である。
【図１５】上下機構の歯車と滑車の一例を示す斜視図である。
【図１６】上下機構の歯車と滑車の他の一例を示す斜視図である。
【図１７】本発明の他の実施例にかかる黒板装置の上下機構を示す垂直断面図である。
【図１８】図１７に示す上下機構を示す拡大断面図である。
【図１９】図１７に示す上下機構の概略正面図である。
【図２０】図１７に示す上下機構の概略斜視図である。
【００５８】
１…本体
２…黒板
３…タッチスクリーン
４…上下機構
５…紐状体                ５Ａ…第１の紐状体
５Ｂ…第２の紐状体
６…滑車                  ６Ａ…第１の滑車
６Ｂ…第２の滑車
７…歯車                  ７Ａ…第１の歯車
７Ｂ…第２の歯車
８…重り                  ８Ａ…第１の重り
８Ｂ…第２の重り
９…アイドルプーリ        ９Ａ…第１のアイドルプーリ
９Ｂ…第２のアイドルプーリ
９Ｃ…第２のアイドルプーリ
９Ｄ…第２のアイドルプーリ
１０…円周溝
１１…サブ黒板
１２…バランスウエイト
１３…滑車
１４…紐体
１５…テレビモニタ
１６…収納部
１７…上下レール
１８…側部支柱
１９…中央支柱
２０…昇降部材            ２０Ａ…移動プレート
２０Ｂ…昇降ローラ
２１…連結金具
２２…固定プレート
２３…回転軸
２４…垂直プレート
２５…収納スペース
２６…引戸
２７…側壁
２８…中央壁
２９…収納隙間
３０…収納スペース
３１…引戸
３２…連結プレート
８１…黒板
８２…巻上スクリーン
８３…地図掛
８４…Ｓカン
９１…主黒板
９２…補助黒板
９３…収納隙間
９４…引出スクリーン組立
９６…引出フレーム
９８…傾動フレーム
９９…スクリーン
【図１】
2008119967.tif 000003
【図２】
2008119967.tif 000004
【図３】
2008119967.tif 000005
【図４】
2008119967.tif 000006
【図５】
2008119967.tif 000007
【図６】
2008119967.tif 000008
【図７】
2008119967.tif 000009
【図８】
2008119967.tif 000010
【図９】
2008119967.tif 000011
【図１０】
2008119967.tif 000012
【図１１】
2008119967.tif 000013
【図１２】
2008119967.tif 000014
【図１３】
2008119967.tif 000015
【図１４】
2008119967.tif 000016
【図１５】
2008119967.tif 000017
【図１６】
2008119967.tif 000018
【図１７】
2008119967.tif 000019
【図１８】
2008119967.tif 000020
【図１９】
2008119967.tif 000021
【図２０】
2008119967.tif 000022